(57)【要約】【課題】表示部上の画像についての操作を操作者が行うにあたり、画像の配置状態を変更する処理を行わない場合に比べ、表示部に表示されている画像について操作者が行う操作の誤りを低減する。【解決手段】表示部には、部分的に重なり互いにずらされた複数の画像８１により構成された重なり画像８０が表示されている。重なり画像８０への操作者の視線が検知され且つ操作者が特定の動作を行った場合、重なり画像８０に含まれる複数の画像８１の配置状態を変更する。【選択図】図６
2019046320.tif 000002
【特許請求の範囲】
【請求項１】
部分的に重なり互いにずらされた複数の画像により構成された重なり画像を表示する表示部と、
前記重なり画像への操作者の視線を検知する視線検知手段と、
前記操作者が前記重なり画像に対する操作を行う際にとる特定の動作を検知する動作検知手段と、
前記重なり画像への視線が検知され且つ前記特定の動作が検知された場合に、当該重なり画像に含まれる複数の画像の配置状態を変更する表示制御手段と、
を備える情報処理装置。
【請求項２】
前記表示制御手段は、前記重なり画像への視線が検知され前記特定の動作が検知された場合、当該重なり画像に含まれる複数の画像における画像間のずれを大きくする請求項１に記載の情報処理装置。
【請求項３】
前記複数の画像に含まれる各画像は、矩形状に形成され側辺を有し、
前記表示制御手段は、前記複数の画像に含まれる画像を、前記側辺が延びる方向に沿って移動させて、画像間のずれを大きくする請求項２に記載の情報処理装置。
【請求項４】
前記複数の画像に含まれる各画像は、矩形状に形成され、
前記表示制御手段は、前記複数の画像に含まれる画像の対角線が延びる方向へ、当該複数の画像に含まれる画像を移動させて、画像間のずれを大きくする請求項２に記載の情報処理装置。
【請求項５】
前記表示制御手段は、前記重なり画像に含まれる複数の画像を移動させることで、当該複数の画像における画像間のずれを大きくするとともに、当該複数の画像の各々を移動させるにあたり、一部の画像を一方向に移動させ他の画像を当該一方向とは反対方向へ移動させる請求項２に記載の情報処理装置。
【請求項６】
前記表示部では、前記重なり画像の周囲に、当該重なり画像との間に間隙を有して配置された他の画像が複数表示され、
前記表示制御手段は、前記重なり画像に含まれる複数の画像を移動させることで、当該複数の画像における画像間のずれを大きくするとともに、当該画像の移動にあたり、当該重なり画像と複数の前記他の画像の各々との間に位置する前記間隙のうちの最も小さい間隙以外の間隙に向けて当該画像を移動させる請求項２に記載の情報処理装置。
【請求項７】
前記表示制御手段は、前記重なり画像と複数の前記他の画像の各々との間に位置する前記間隙のうちの最も大きい間隙に向けて画像を移動させる請求項６に記載の情報処理装置。
【請求項８】
前記視線検知手段は、前記重なり画像の特定箇所への操作者の視線を検知し、
前記表示制御手段は、前記重なり画像の前記特定箇所への視線が検知され前記特定の動作が検知された場合に、前記複数の画像の配置状態を変更する請求項１に記載の情報処理装置。
【請求項９】
前記視線検知手段は、前記重なり画像のうちの、各画像が有する縁部が並んでいる箇所への操作者への視線を検知し、
前記表示制御手段は、前記縁部が並んでいる前記箇所への視線が検知され前記特定の動作が検知された場合に、前記複数の画像の配置状態を変更する請求項８に記載の情報処理装置。
【請求項１０】
前記表示制御手段は、互いに隣接する前記縁部間の間隙が拡がるように、前記複数の画像の配置状態を変更する請求項９に記載の情報処理装置。
【請求項１１】
前記動作検知手段は、操作者が操作用器具又は自身の指を前記重なり画像に接近させる動作又は前記表示部に表示されているポインターを当該重なり画像に接近させる動作を検知する請求項１に記載の情報処理装置。
【請求項１２】
前記表示制御手段は、前記操作用器具又は前記指が前記重なり画像に達する前に、前記複数の画像の配置状態の変更を行い、前記ポインターが当該重なり画像に達する前に、当該複数の画像の配置状態の変更を行う請求項１１に記載の情報処理装置。
【請求項１３】
複数の画像を表示する表示部と、
前記表示部の画像に対する操作者の選択を受け付ける受け付け手段と、
画像の選択を行った操作者の視線が向く先の位置であって、前記表示部上における位置を特定する特定手段と、
前記複数の画像のうち、前記特定手段により特定された位置と予め定められた位置関係を有する画像を移動させる表示制御手段と、
を備える情報処理装置。
【請求項１４】
前記表示制御手段は、少なくとも、前記特定手段により特定された位置である特定位置の隣に位置する画像を、当該特定位置から離れる方向へ移動させる請求項１３に記載の情報処理装置。
【請求項１５】
前記表示制御手段は、前記特定位置の隣に位置する前記画像を前記離れる方向へ移動させて、当該特定位置を挟んで互いに隣接する２つの画像間の間隙を拡げる請求項１４に記載の情報処理装置。
【請求項１６】
前記表示制御手段は、前記特定位置を挟んで互いに隣接する前記２つの画像の両者を当該特定位置から離れる方向へ移動させて、前記間隙を拡げる請求項１５に記載の情報処理装置。
【請求項１７】
前記表示制御手段は、前記隣に位置する前記画像を、前記特定位置から離れる方向へ移動させるとともに、当該離れる方向において当該画像よりも下流側に位置する画像も、当該離れる方向へ移動させる請求項１４に記載の情報処理装置。
【請求項１８】
前記表示部は、前記複数の画像を表示する表示画面と、当該表示画面を取り囲む周縁とを有し、
前記表示制御手段は、前記特定手段により特定された位置である特定位置が、前記表示部に表示されている画像と前記周縁との間にある場合、当該特定位置から離れる方向へ当該画像を移動させて、当該画像と当該周縁との間の間隙を拡げる請求項１３に記載の情報処理装置。
【請求項１９】
記録材への画像形成を行う画像形成手段と、
部分的に重なり互いにずらされた複数の画像により構成された重なり画像を表示する表示部と、
前記重なり画像への操作者の視線を検知する視線検知手段と、
前記操作者が前記重なり画像に対する操作を行う際にとる特定の動作を検知する動作検知手段と、
前記重なり画像への視線が検知され且つ前記特定の動作が検知された場合に、当該重なり画像に含まれる複数の画像の配置状態を変更する表示制御手段と、
を備える画像形成装置。
【請求項２０】
記録材への画像形成を行う画像形成手段と、
複数の画像を表示する表示部と、
前記表示部の画像に対する操作者の選択を受け付ける受け付け手段と、
画像の選択を行った操作者の視線が向く先の位置であって、前記表示部上における位置を特定する特定手段と、
前記複数の画像のうち、前記特定手段により特定された位置と予め定められた位置関係を有する画像を移動させる表示制御手段と、
を備える画像形成装置。
【請求項２１】
部分的に重なり互いにずらされた複数の画像により構成された重なり画像であって表示部に表示された当該重なり画像への操作者の視線を検知する視線検知機能と、
前記操作者が前記重なり画像に対する操作を行う際にとる特定の動作を検知する動作検知機能と、
前記重なり画像への視線が検知され且つ前記特定の動作が検知された場合に、当該重なり画像に含まれる複数の画像の配置状態を変更する表示制御機能と、
をコンピュータに実現させるためのプログラム。
【請求項２２】
表示部に表示されている複数の画像に対する操作者の選択を受け付ける受け付け機能と、
画像の選択を行った操作者の視線が向く先の位置であって、前記表示部上における位置を特定する特定機能と、
前記複数の画像のうち、前記特定機能により特定された位置と予め定められた位置関係を有する画像を移動させる表示制御機能と、
をコンピュータに実現させるためのプログラム。
【発明の詳細な説明】
【技術分野】
【０００１】
本発明は、情報処理装置、画像形成装置、および、プログラムに関する。
【背景技術】
【０００２】
特許文献１には、オブジェクトの１つが他のオブジェクトと重なったことを検知する検知手段と、検知手段がオブジェクトの重なりを検知すると、他のオブジェクトをその整列位置からずらして表示する表示手段とを備えた装置が開示されている。
【先行技術文献】
【特許文献】
【０００３】
【特許文献１】特開２０１１−１８６７４２号公報
【発明の概要】
【発明が解決しようとする課題】
【０００４】
表示部を備えた情報処理装置では、例えば、表示部に対する操作者の操作が行われて、表示部上の画像が選択されたり、表示部上の画像の移動が行われたりする。ここで、例えば、表示部における画像が互いに接近して配置されていると、操作誤りが起きやすく、本来選択しようとした画像とは異なる画像が選択されたり、本来意図した箇所とは異なる箇所への画像の移動がなされたりするおそれがある。
本発明の目的は、表示部上の画像についての操作を操作者が行うにあたり、画像の配置状態を変更する処理を行わない場合に比べ、表示部に表示されている画像について操作者が行う操作の誤りを低減することにある。
【課題を解決するための手段】
【０００５】
請求項１に記載の発明は、部分的に重なり互いにずらされた複数の画像により構成された重なり画像を表示する表示部と、前記重なり画像への操作者の視線を検知する視線検知手段と、前記操作者が前記重なり画像に対する操作を行う際にとる特定の動作を検知する動作検知手段と、前記重なり画像への視線が検知され且つ前記特定の動作が検知された場合に、当該重なり画像に含まれる複数の画像の配置状態を変更する表示制御手段と、を備える情報処理装置である。
請求項２に記載の発明は、前記表示制御手段は、前記重なり画像への視線が検知され前記特定の動作が検知された場合、当該重なり画像に含まれる複数の画像における画像間のずれを大きくする請求項１に記載の情報処理装置である。
請求項３に記載の発明は、前記複数の画像に含まれる各画像は、矩形状に形成され側辺を有し、前記表示制御手段は、前記複数の画像に含まれる画像を、前記側辺が延びる方向に沿って移動させて、画像間のずれを大きくする請求項２に記載の情報処理装置である。
請求項４に記載の発明は、前記複数の画像に含まれる各画像は、矩形状に形成され、前記表示制御手段は、前記複数の画像に含まれる画像の対角線が延びる方向へ、当該複数の画像に含まれる画像を移動させて、画像間のずれを大きくする請求項２に記載の情報処理装置である。
請求項５に記載の発明は、前記表示制御手段は、前記重なり画像に含まれる複数の画像を移動させることで、当該複数の画像における画像間のずれを大きくするとともに、当該複数の画像の各々を移動させるにあたり、一部の画像を一方向に移動させ他の画像を当該一方向とは反対方向へ移動させる請求項２に記載の情報処理装置である。
請求項６に記載の発明は、前記表示部では、前記重なり画像の周囲に、当該重なり画像との間に間隙を有して配置された他の画像が複数表示され、前記表示制御手段は、前記重なり画像に含まれる複数の画像を移動させることで、当該複数の画像における画像間のずれを大きくするとともに、当該画像の移動にあたり、当該重なり画像と複数の前記他の画像の各々との間に位置する前記間隙のうちの最も小さい間隙以外の間隙に向けて当該画像を移動させる請求項２に記載の情報処理装置である。
請求項７に記載の発明は、前記表示制御手段は、前記重なり画像と複数の前記他の画像の各々との間に位置する前記間隙のうちの最も大きい間隙に向けて画像を移動させる請求項６に記載の情報処理装置である。
請求項８に記載の発明は、前記視線検知手段は、前記重なり画像の特定箇所への操作者の視線を検知し、前記表示制御手段は、前記重なり画像の前記特定箇所への視線が検知され前記特定の動作が検知された場合に、前記複数の画像の配置状態を変更する請求項１に記載の情報処理装置である。
請求項９に記載の発明は、前記視線検知手段は、前記重なり画像のうちの、各画像が有する縁部が並んでいる箇所への操作者への視線を検知し、前記表示制御手段は、前記縁部が並んでいる前記箇所への視線が検知され前記特定の動作が検知された場合に、前記複数の画像の配置状態を変更する請求項８に記載の情報処理装置である。
請求項１０に記載の発明は、前記表示制御手段は、互いに隣接する前記縁部間の間隙が拡がるように、前記複数の画像の配置状態を変更する請求項９に記載の情報処理装置である。
請求項１１に記載の発明は、前記動作検知手段は、操作者が操作用器具又は自身の指を前記重なり画像に接近させる動作又は前記表示部に表示されているポインターを当該重なり画像に接近させる動作を検知する請求項１に記載の情報処理装置である。
請求項１２に記載の発明は、前記表示制御手段は、前記操作用器具又は前記指が前記重なり画像に達する前に、前記複数の画像の配置状態の変更を行い、前記ポインターが当該重なり画像に達する前に、当該複数の画像の配置状態の変更を行う請求項１１に記載の情報処理装置である。
請求項１３に記載の発明は、複数の画像を表示する表示部と、前記表示部の画像に対する操作者の選択を受け付ける受け付け手段と、画像の選択を行った操作者の視線が向く先の位置であって、前記表示部上における位置を特定する特定手段と、前記複数の画像のうち、前記特定手段により特定された位置と予め定められた位置関係を有する画像を移動させる表示制御手段と、を備える情報処理装置である。
請求項１４に記載の発明は、前記表示制御手段は、少なくとも、前記特定手段により特定された位置である特定位置の隣に位置する画像を、当該特定位置から離れる方向へ移動させる請求項１３に記載の情報処理装置である。
請求項１５に記載の発明は、前記表示制御手段は、前記特定位置の隣に位置する前記画像を前記離れる方向へ移動させて、当該特定位置を挟んで互いに隣接する２つの画像間の間隙を拡げる請求項１４に記載の情報処理装置である。
請求項１６に記載の発明は、前記表示制御手段は、前記特定位置を挟んで互いに隣接する前記２つの画像の両者を当該特定位置から離れる方向へ移動させて、前記間隙を拡げる請求項１５に記載の情報処理装置である。
請求項１７に記載の発明は、前記表示制御手段は、前記隣に位置する前記画像を、前記特定位置から離れる方向へ移動させるとともに、当該離れる方向において当該画像よりも下流側に位置する画像も、当該離れる方向へ移動させる請求項１４に記載の情報処理装置である。
請求項１８に記載の発明は、前記表示部は、前記複数の画像を表示する表示画面と、当該表示画面を取り囲む周縁とを有し、前記表示制御手段は、前記特定手段により特定された位置である特定位置が、前記表示部に表示されている画像と前記周縁との間にある場合、当該特定位置から離れる方向へ当該画像を移動させて、当該画像と当該周縁との間の間隙を拡げる請求項１３に記載の情報処理装置である。
請求項１９に記載の発明は、記録材への画像形成を行う画像形成手段と、部分的に重なり互いにずらされた複数の画像により構成された重なり画像を表示する表示部と、前記重なり画像への操作者の視線を検知する視線検知手段と、前記操作者が前記重なり画像に対する操作を行う際にとる特定の動作を検知する動作検知手段と、前記重なり画像への視線が検知され且つ前記特定の動作が検知された場合に、当該重なり画像に含まれる複数の画像の配置状態を変更する表示制御手段と、を備える画像形成装置である。
請求項２０に記載の発明は、記録材への画像形成を行う画像形成手段と、複数の画像を表示する表示部と、前記表示部の画像に対する操作者の選択を受け付ける受け付け手段と、画像の選択を行った操作者の視線が向く先の位置であって、前記表示部上における位置を特定する特定手段と、前記複数の画像のうち、前記特定手段により特定された位置と予め定められた位置関係を有する画像を移動させる表示制御手段と、を備える画像形成装置である。
請求項２１に記載の発明は、部分的に重なり互いにずらされた複数の画像により構成された重なり画像であって表示部に表示された当該重なり画像への操作者の視線を検知する視線検知機能と、前記操作者が前記重なり画像に対する操作を行う際にとる特定の動作を検知する動作検知機能と、前記重なり画像への視線が検知され且つ前記特定の動作が検知された場合に、当該重なり画像に含まれる複数の画像の配置状態を変更する表示制御機能と、をコンピュータに実現させるためのプログラムである。
請求項２２に記載の発明は、表示部に表示されている複数の画像に対する操作者の選択を受け付ける受け付け機能と、画像の選択を行った操作者の視線が向く先の位置であって、前記表示部上における位置を特定する特定機能と、前記複数の画像のうち、前記特定機能により特定された位置と予め定められた位置関係を有する画像を移動させる表示制御機能と、をコンピュータに実現させるためのプログラムである。
【発明の効果】
【０００６】
請求項１の発明によれば、表示部上の画像についての操作を操作者が行うにあたり、画像の配置状態を変更する処理を行わない場合に比べ、表示部に表示されている画像について操作者が行う操作の誤りを低減することができる。
請求項２の発明によれば、重なり画像に含まれる複数の画像における画像間のずれを大きくしない場合に比べ、重なり画像に含まれる何れかの画像を操作者が選択する際の選択誤りを低減できる。
請求項３の発明によれば、複数の画像に含まれる画像の対角線が延びる方向へ、複数の画像に含まれる画像を移動させる場合に比べ、画像を移動させた後の重なり画像の占有面積を低減できる。
請求項４の発明によれば、複数の画像に含まれる画像の側辺が延びる方向へ、複数の画像に含まれる画像を移動させる場合に比べ、重なり画像の長辺側および短辺側の両側にて、画像間のずれを大きくすることができる。
請求項５の発明によれば、重なり画像に含まれる複数の画像の各々を一方向へのみ移動させて画像間のずれを大きくする場合に比べ、画像間のずれをより大きなものにすることが可能になる。
請求項６の発明によれば、重なり画像と他の画像の各々との間に位置する間隙のうちの最も小さい間隙に向けて、重なり画像に含まれる画像を移動させる場合に比べ、画像間のずれをより大きなものにすることが可能になる。
請求項７の発明によれば、重なり画像と他の画像の各々との間に位置する間隙のうちの最も大きい間隙よりも小さい間隙に向けて、重なり画像に含まれる画像を移動させる場合に比べ、画像間のずれをより大きなものにすることが可能になる。
請求項８の発明によれば、操作者が重なり画像の特定箇所を見た場合に、重なり画像に含まれる画像の配置状態を変更できるようになる。
請求項９の発明によれば、操作者が、重なり画像のうちの、各画像が有する縁部が並んでいる箇所を見た場合に、重なり画像に含まれる画像の配置状態を変更できるようになる。
請求項１０の発明によれば、互いに隣接する縁部間の間隙が拡がらない場合に比べ、重なり画像に含まれる何れかの画像を操作者が選択する際の選択誤りを低減できる。
請求項１１の発明によれば、操作者が、操作用器具又は自身の指を重なり画像に接近させる場合や、表示部に表示されているポインターを重なり画像に接近させる場合に、重なり画像に含まれる画像の配置状態を変更できるようになる。
請求項１２の発明によれば、操作用器具や操作者の指が重なり画像に達した後や、表示部に表示されているポインターが重なり画像に達した後に、重なり画像に含まれる画像の配置状態を変更する場合に比べ、操作者は、自身の行う作業をより迅速に進められるようになる。
請求項１３の発明によれば、表示部上の画像についての操作を操作者が行うにあたり、画像の配置状態を変更する処理を行わない場合に比べ、表示部に表示されている画像について操作者が行う操作の誤りを低減することができる。
請求項１４の発明によれば、特定位置の隣に位置する画像を特定位置から離れる方向へ移動させない場合に比べ、操作者が画像を移動先に移動させる際の操作誤りを低減できる。
請求項１５の発明によれば、特定位置を挟んで互いに隣接する２つの画像間の間隙を拡げない場合に比べ、操作者が２つの画像間へ画像を移動させる際の操作誤りを低減できる。
請求項１６の発明によれば、２つの画像のうちの一方の画像のみを移動させて２つの画像間の間隙を拡げる場合比べ、２つの画像間の間隙をより大きなものにできる。
請求項１７の発明によれば、特定位置から離れる方向へ移動させる画像よりも下流側に位置する画像を移動させない場合に比べ、特定位置から離れる方向へ移動させる画像の移動量をより大きなものにできる。
請求項１８の発明によれば、特定位置から離れる方向へ画像を移動させてこの画像と周縁との間の間隙を拡げない場合に比べ、操作者が、画像と周縁との間へ画像を移動させる際の操作誤りを低減できる。
請求項１９の発明によれば、表示部上の画像についての操作を操作者が行うにあたり、画像の配置状態を変更する処理を行わない場合に比べ、表示部に表示されている画像について操作者が行う操作の誤りを低減することができる。
請求項２０の発明によれば、表示部上の画像についての操作を操作者が行うにあたり、画像の配置状態を変更する処理を行わない場合に比べ、表示部に表示されている画像について操作者が行う操作の誤りを低減することができる。
請求項２１の発明によれば、表示部上の画像についての操作を操作者が行うにあたり、画像の配置状態を変更する処理を行わない場合に比べ、表示部に表示されている画像について操作者が行う操作の誤りを低減することができる。
請求項２２の発明によれば、表示部上の画像についての操作を操作者が行うにあたり、画像の配置状態を変更する処理を行わない場合に比べ、表示部に表示されている画像について操作者が行う操作の誤りを低減することができる。
【図面の簡単な説明】
【０００７】
【図１】画像形成装置を構成する各機能部を示した図である。
【図２】画像形成装置の正面図である。
【図３】制御部の機能構成を示したブロック図である。
【図４】視線検知装置の構成を説明する図である。
【図５】（Ａ）、（Ｂ）は、視線検知装置の構成を説明する図である。
【図６】（Ａ）〜（Ｃ）は、表示処理を説明する図である。
【図７】（Ａ）〜（Ｃ）は、他の表示処理を示した図である。
【図８】表示部における他の表示処理を示した図である。
【図９】表示部における表示例を示した図である。
【図１０】図６〜９にて説明した処理の流れを示したフローチャートである。
【図１１】（Ａ）、（Ｂ）は、表示部における他の表示処理を示した図である。
【図１２】（Ｃ）、（Ｄ）は、表示部における他の表示処理を示した図である。
【図１３】（Ａ）、（Ｂ）は、表示部における他の表示処理を示した図である。
【図１４】図１１〜図１３にて示した処理の流れを示したフローチャートである。
【発明を実施するための形態】
【０００８】
以下、添付図面を参照して、本発明の実施の形態について説明する。
図１は、本実施形態に係る画像形成装置１０を構成する各機能部を示した図である。図２は、画像形成装置１０の正面図である。
図１に示すように、本実施形態の画像形成装置１０を構成する各機能部は、バス１０１に接続され、このバス１０１を介してデータの授受を行う。
【０００９】
表示部１０６は、画像を表示して、画像形成装置１０を操作する操作者に対する情報の通知を行う。表示部１０６は、図２に示すように、矩形状に形成されている。さらに、表示部１０６は、画像を表示する表示画面１０６Ａと、この表示画面１０６Ａを取り囲む周縁１０６Ｂとを有する。
操作受け付け部１０７（図１、図２参照）は、ユーザからの操作を受け付ける。具体的には、操作受け付け部１０７は、表示部１０６にて表示されている表示内容に対するユーザの操作を受け付ける。
【００１０】
ここで、表示部１０６および操作受け付け部１０７は、例えば、タッチパネル方式のディスプレイにより構成され、表示部１０６と操作受け付け部１０７とが重なった状態で配置されている。
なお、本実施形態では、操作受け付け部１０７が、タッチパネル方式のディスプレイにより構成された場合を説明したが、操作受け付け部１０７は、マウスなどのポインティングデバイスにより構成してもよい。
この場合、ユーザがこのポインティングデバイスを操作すると、表示部１０６に表示されているポインター１０６Ｃ（図２参照）が動く。そして、ユーザによる画像の選択等が行われる際には、表示部１０６上の画像の上にポインター１０６Ｃが配置されたうえで、ポインティングデバイスに対するユーザの操作（クリック等の操作）が行われる。
【００１１】
表示部１０６（図１参照）は、制御部６０により制御される。さらに、本実施形態では、表示部１０６における表示内容に対するユーザの操作が、操作受け付け部１０７にて受け付けられる。
そして、本実施形態では、操作受け付け部１０７にて受け付けたユーザの操作に応じて、この操作に対応した処理が実行される。
【００１２】
画像読み取り部１０８（図１参照）は、いわゆるスキャナ装置により構成され、セットされた原稿上の画像を読み取り、原稿の読み取り画像（画像データ）を生成する。
画像形成手段の一例としての画像形成部１０９は、例えば電子写真方式を用い、画像データに応じたトナー像を記録材の一例である用紙に形成する。なお、画像形成部１０９では、インクジェットヘッド方式などの他の方式を用いて画像形成を行ってもよい。
通信部１１０は、通信回線（不図示）に接続され、通信回線に接続されている他の装置との通信を行う通信インターフェースとして機能する。
【００１３】
画像処理部１１１は、画像データが表す画像に色補正や階調補正等の画像処理を施す。
カメラ１１２は、撮像手段の一例であり、画像形成装置１０の周囲の状況を撮影（撮像）する。また、カメラ１１２は、画像形成装置１０の前に操作者が立った場合に、この操作者を撮影する。
カメラ１１２は、ＣＣＤ（Charge Coupled Device）などにより構成される。カメラ１１２は、図２に示すように、画像形成装置１０のフロント側（前面側）に設置され、さらに、カメラ１１２は、表示部１０６（操作受け付け部１０７）の横に配置される。
【００１４】
視線検知装置１１３（図１参照）は、画像形成装置１０の操作を行う操作者の視線を検知する。
この視線検知装置１１３も、図２に示すように、画像形成装置１０のフロント側（前面側）に設置される。また、視線検知装置１１３は、表示部１０６（操作受け付け部１０７）の横に配置される。
【００１５】
記憶部１０５（図１参照）は、ハードディスク装置などにより構成され、例えば、通信部１１０にて受信したデータや、画像読み取り部１０８にて生成された読み取り画像（画像データ）を記憶する。
制御部６０は、画像形成装置１０の各部を制御する。制御部６０は、ＣＰＵ（Central Processing Unit）１０２、ＲＯＭ（Read Only Memory）１０３、ＲＡＭ（Random Access Memory）１０４により構成される。
ＲＯＭ１０３は、ＣＰＵ１０２により実行されるプログラムを記憶する。ＣＰＵ１０２は、ＲＯＭ１０３に記憶されているプログラムを読み出し、ＲＡＭ１０４を作業エリアにして、プログラムを実行する。
【００１６】
ここで、ＣＰＵ１０２によって実行されるプログラムは、磁気記録媒体（磁気テープ、磁気ディスクなど）、光記録媒体（光ディスクなど）、光磁気記録媒体、半導体メモリなどのコンピュータが読取可能な記録媒体に記憶した状態で、画像形成装置１０へ提供し得る。
また、ＣＰＵ１０２によって実行されるプログラムは、インターネットなどの通信手段を用いて画像形成装置１０にダウンロードしてもよい。
【００１７】
ＣＰＵ１０２によりプログラムが実行されると、ＣＰＵ１０２により画像形成装置１０の各部が制御され、画像形成装置１０は、例えば用紙に画像を形成したり、原稿を読み取って原稿の読み取り画像を生成したりする。
また、本実施形態では、ＣＰＵ１０２によりプログラムが実行されることで、図３（制御部６０の機能構成を示したブロック図）に示すように、制御部６０が、視線検知部６１、動作検知部６２、表示制御部６３、受け付け部６４、位置特定部６５として機能する。
ここで、本実施形態の表示部１０６、制御部６０は、画像の表示を行う情報処理装置として捉えることができる。
【００１８】
視線検知手段の一例としての視線検知部６１（図３参照）は、表示部１０６に表示されている重なり画像（後述）への操作者の視線を検知する。
具体的には、視線検知部６１は、表示部１０６における重なり画像の位置を示す位置情報、および、視線検知装置１１３からの出力に基づき、重なり画像への操作者の視線を検知する。
言い換えると、視線検知部６１は、操作者の視線の先に、重なり画像があるか否かを判断し、操作者の視線の先に、重なり画像がある場合には、操作者が重なり画像を見ている旨の情報を出力する。
【００１９】
動作検知手段の一例としての動作検知部６２は、カメラ１１２やポインティングデバイスからの出力を解析して、操作者が重なり画像に対する操作を行う際にとる特定の動作を検知する。
具体的には、本実施形態では、動作検知部６２は、操作者が操作用器具又は自身の指を重なり画像に接近させる動作、又は、表示部１０６に表示されているポインター１０６Ｃを重なり画像に接近させる動作を検知する。ここで、操作用器具としては、ペン型の器具が一例として挙げられる。
【００２０】
表示制御手段の一例としての表示制御部６３は、表示部１０６における表示制御を行う。
具体的には、表示制御部６３は、重なり画像への視線が検知され且つ上記特定の動作が検知された場合に、重なり画像に含まれる複数の画像の配置状態を変更する。
また、表示制御部６３は、表示部１０６に表示されている複数の画像のうち、位置特定部６５（後述）により特定された特定位置と予め定められた位置関係を有する画像を移動させる。
【００２１】
受け付け手段の一例としての受け付け部６４は、表示部１０６の画像に対する操作者の選択を受け付ける。
具体的には、受け付け部６４は、表示部１０６に表示されている画像の位置情報、および、操作受け付け部１０７（図１、図２参照）からの出力（操作者が操作した操作位置を示す情報）を得て、操作者の選択内容（操作者が選択した画像）を特定し、この選択内容（操作者が選択した画像）を受け付ける。
特定手段の一例としての位置特定部６５は、視線検知装置１１３からの出力に基づき、操作者の視線が向く先の位置であって、表示部１０６上における位置を特定する。
【００２２】
図４および図５（Ａ）、（Ｂ）は、視線検知装置１１３の構成を説明する図である。
図４に示すように、視線検知装置１１３は、ユーザの眼球５６に赤外光をスポット状に照射する光源５３を有し、眼球５６からの赤外反射光は接眼レンズ５１に設けられた微小開口絞りを経て光学レンズ群５４に入射する。光学レンズ群５４は、入射した赤外反射光をＣＣＤ５５の撮像面上に点状に結像させ、ＣＣＤ５５は、撮像面に結像した角膜反射による虚像（プルキニエ像）を電気信号に変換して出力する。
この虚像は、図５（Ａ）、（Ｂ）に示すように、光源５３から照射された赤外光の瞳孔７１の角膜反射による像７２であり、瞳孔７１の中心と虚像７２との相対的位置関係は、眼球の回転角に比例して変化する。本実施形態では、ＣＣＤ５５からの虚像を示す電気信号を用いて画像処理が行われ、この画像処理の結果に基づきユーザの視線の方向が検知される。
なお、ユーザの視線の方向の検知は、図４、図５にて示した方法に限らず、他の公知の方法で行ってもよく、図４、図５にて示した方法に限られるものではない。
【００２３】
図６（Ａ）〜（Ｃ）は、本実施形態の表示処理を説明する図である。
図６（Ａ）では、表示部１０６に表示されている重なり画像８０を示している。
この重なり画像８０は、部分的に重なり互いにずらされた複数の画像８１により構成されている。付言すると、重なり画像８０は、互いにずらされた複数ページ分の画像８１により構成されている。
また、この重なり画像８０では、複数ページ分の画像８１が、何れか一のページの画像８１の対角線方向にずらされた状態で配置されている。また、この重なり画像８０では、この重なり画像８０を構成する各画像８１が等間隔で並んで配置されている。
【００２４】
また、図６（Ａ）では、重なり画像８０の特定箇所（図中、符号６Ａで示す箇所）へ、操作者の視線が向いており、視線検知部６１により、操作者の視線の先がこの特定箇所にあることが検知されている。
具体的には、本実施形態では、重なり画像８０のうち、各画像８１が有する縁部８１Ａが並んでいる箇所（以下、「縁部並び箇所」と称する）が、特定箇所として、画像形成装置１０の記憶部１０５に予め登録されている。図６（Ａ）に示す例では、視線検知部６１により、操作者の視線の先が、特定箇所（縁部並び箇所）にあることが検知されている。
【００２５】
ここで、重なり画像８０に含まれる各画像８１は、矩形状に形成され側辺を有する。具体的には、各画像８１は、側辺として、短辺８１Ｅおよび長辺８１Ｆを有する。
このため、本実施形態では、縁部並び箇所として、短辺８１Ｅに沿う縁部８１Ａが図中上下方向に並んだ第１縁部並び箇所８１Ｘと、長辺８１Ｆに沿う縁部８１Ａが図中左右方向に並んだ第２縁部並び箇所８１Ｙとが存在する。
【００２６】
そして、本実施形態では、縁部８１Ａが並ぶ第１縁部並び箇所８１Ｘ、第２縁部並び箇所８１Ｙなどが、特定箇所として、予め登録されている。
図６（Ａ）に示す例においては、操作者の視線の先に位置する縁部並び箇所は、第２縁部並び箇所８１Ｙとなっており、本実施形態では、視線検知部６１により、操作者の視線の先が、この第２縁部並び箇所８１Ｙ（特定箇所）にあることが検知される。
【００２７】
図６（Ｂ）は、図６（Ａ）にて示した状態の次の状態を示している。
図６（Ｂ）では、操作者が、自身の指２００を第２縁部並び箇所８１Ｙへ接近させた際の、重なり画像８０および操作者の指２００を示している。
本実施形態では、このように、操作者が、自身の指２００を第２縁部並び箇所８１Ｙ（特定箇所）へ接近させると、第２縁部並び箇所８１Ｙへ指２００を接近させるこの動作が、動作検知部６２により検知される。
付言すると、本実施形態では、操作者が自身の指２００を特定箇所へ接近させる動作を、特定動作として、画像形成装置１０の記憶部１０５に予め登録しており、本実施形態では、操作者がこの特定動作を行うと、この特定動作が、動作検知部６２により検知される。
【００２８】
より具体的には、動作検知部６２は、カメラ１１２からの出力を解析しており、カメラ１１２からの出力および重なり画像８０の位置情報（表示部１０６における重なり画像８０の位置を示す情報）に基づき、操作者が、指２００を、重なり画像８０の第２縁部並び箇所８１Ｙに接近させているか否かを解析する。
そして、動作検知部６２は、指２００が、重なり画像８０の第２縁部並び箇所８１Ｙに接近している場合には、操作者が予め定められた特定動作を行ったことを検知する。
【００２９】
そして、本実施形態では、このように、重なり画像８０の特定箇所（第２縁部並び箇所８１Ｙ）への操作者の視線が検知され、また、操作者が予め定められた特定動作（指２００を第２縁部並び箇所８１Ｙへ接近させる動作）を行ったことが検知された場合、表示制御部６３が、図６（Ｃ）に示すように、重なり画像８０に含まれる複数の画像８１の配置状態を変更する。
【００３０】
具体的には、表示制御部６３は、重なり画像８０に含まれる複数の画像８１における画像８１間のずれが大きくなるように、複数の画像８１の配置状態を変更する。
より具体的には、表示制御部６３は、第２縁部並び箇所８１Ｙに位置し互いに隣接する縁部８１Ａ間の間隙が拡がるように、複数の画像８１の各々を移動させる。
【００３１】
付言すると、本実施形態の例では、表示制御部６３は、重なり画像８０に含まれる各画像８１を、各画像８１が有する短辺８１Ｅが延びる方向に沿って移動させる。
また、表示制御部６３は、画像８１の各々を移動させるにあたっては、図６（Ｃ）の矢印６Ｃで示すように、各画像８１を一方向に移動させる。また、移動方向下流側に位置する画像８１ほど、移動量が大きくなるように各画像８１を移動させる。
【００３２】
このように、重なり画像８０に含まれる画像８１が移動する場合、操作者が画像８１を選択する際の操作誤りが起きにくくなる。より具体的には、重なり画像８０に含まれる複数の画像８１の中から一部の画像８１を選択する際の操作誤りが起きにくくなる。
付言すると、本実施形態のように、画像８１間のずれを大きくすると、画像８１間のずれを大きくしない場合に比べ、複数の画像８１の中から一部の画像８１を選択する際の選択誤りが起きにくくなる。
【００３３】
なお、本実施形態では、図６（Ｂ）に示す状態のときに、画像８１の配置状態の変更を開始する。
言い換えると、表示制御部６３は、操作者の指２００が重なり画像８０に達する前に、複数の画像８１の配置状態を変更する。付言すると、表示制御部６３は、操作者の指２００が重なり画像８０に近づいている最中に、画像８１を移動させて、画像８１間のずれを大きくする。
この場合、操作者の指２００が重なり画像８０に達した後に、配置状態を変更する場合に比べ、操作者は、より早いタイミングで、画像８１の選択を行えるようになる。
【００３４】
なお、上記では、指２００を接近させる場合の処理を説明したが、操作用器具やポインター１０６Ｃ（図２参照）で画像８１の選択を行う場合も、同様に、操作用器具やポインター１０６Ｃが、第２縁部並び箇所８１Ｙに接近すると、第２縁部並び箇所８１Ｙに位置し互いに隣接する縁部８１Ａ間の間隙が拡がるようになる。
【００３５】
図７（Ａ）〜（Ｃ）は、他の表示処理を示した図である。
上記の図６（Ａ）〜（Ｃ）にて示した処理では、操作者の視線の先が第２縁部並び箇所８１Ｙにあり、第２縁部並び箇所８１Ｙへ、操作者の指２００が接近する場合を説明した。
これに対し、図７（Ａ）〜（Ｃ）に示す処理では、操作者の視線の先が第１縁部並び箇所８１Ｘにあり、さらに、第１縁部並び箇所８１Ｘへ、操作者の指２００が接近する場合を示している。
【００３６】
第１縁部並び箇所８１Ｘへ、操作者の指２００が接近する場合は、図７（Ｂ）、（Ｃ）に示すように、重なり画像８０に含まれる各画像８１は、各画像８１が有する長辺８１Ｆが延びる方向に沿って移動する。
言い換えると、各画像８１は、第１縁部並び箇所８１Ｘに位置する縁部８１Ａ間の間隙が拡がるように、図中下方向に向かって移動する。また、各画像８１は、移動方向下流側に位置する画像８１ほど、その移動量が大きくなるように移動する。
この場合も、上記と同様、複数の画像８１の中から一部の画像８１を選択する際の選択誤りが起きにくくなる。
【００３７】
本実施形態では、図６（Ｃ）、図７（Ｃ）に示すように、重なり画像８０に含まれる各画像８１を移動させる際、各画像８１が有する側辺が延びる方向に沿って各画像８１を移動させる。
具体的には、図６（Ｃ）にて示した例では、短辺８１Ｅが延びる方向に沿って各画像８１を移動させる。また、図７（Ｃ）にて示した例では、長辺８１Ｆが延びる方向に沿って各画像８１を移動させる。
【００３８】
ここで、各画像８１を移動させる際の移動方向は、側辺に沿った方向に限らず、側辺に沿った方向に対して交差する方向としてもよい。
具体的には、例えば、操作者の視線の先が重なり画像８０にあり、操作者の指２００が重なり画像８０に接近した場合に、図８（表示部１０６における他の表示処理を示した図）の（Ａ）に示すように、重なり画像８０に含まれる画像８１の対角線が延びる方向へ、各画像８１を移動させてもよい。
【００３９】
この場合は、重なり画像８０の短辺８４側および長辺８５側の両側にて、画像８１間のずれが大きくなり（縁部８１Ａ間の間隙が大きくなり）、短辺８４側および長辺８５側の両側にて、画像８１の選択を行いやすくなる。
【００４０】
なお、対角線方向に各画像８１を移動させる場合は、側辺に沿って各画像８１を移動させる場合に比べ、画像８１を移動させた後の重なり画像８０の占有面積が大きくなる。
このため、例えば、表示部１０６の面積が小さい場合など、画像８１を移動させるためのスペースが小さい場合には、図６、図７にて示したように、側辺が延びる方向へ各画像８１を移動させることが好ましい。
【００４１】
また、重なり画像８０に含まれる各画像８１の移動にあたっては、一方向へのみ画像８１を移動させるのではなく、一部の画像８１を一方向に移動させ、他の画像８１をこの一方向とは反対方向へ移動させてもよい。
具体的には、例えば、図８（Ｂ）に示すように、重なり画像８０に含まれる複数の画像８１のうち、図中右下の角部８０Ｈに近い側に位置する画像８１を、図中矢印６Ｌで示す一方向へ移動させ、図中左上の角部８０Ｇに近い側に位置する画像８１を、図中矢印６Ｍで示す反対方向へ移動させてもよい。
【００４２】
言い換えると、この例では、重なり画像８０に含まれる画像８１のうち、重なり画像８０の一端部（図中右下側の端部（角部））に近い側に位置する画像８１を、図中矢印６Ｌで示す一方向へ移動させ、重なり画像８０の他端部（図中左上側の端部（角部））に近い側に位置する画像８１を、図中矢印６Ｍで示す反対方向へ移動させる。
なお、この移動にあたっては、上記と同様、移動方向下流側に位置する画像８１ほど、その移動量を大きくする。
【００４３】
ここで、画像８１を一方向にのみ移動させる構成であると、この一方向における下流側に、他の画像などがあると、画像８１の移動量が小さくなり、画像８１の移動量を確保しにくくなる。
上記のように、一方向のみならず、反対方向にも画像８１を移動させるようにすれば、一方向のみに画像８１を移動させる場合に比べ、画像８１の移動量を確保しやすくなる。
【００４４】
なお、図８（Ｂ）にて示した例では、一方向および反対方向へ画像８１を移動させるにあたり、画像８１の対角線方向に画像８１を移動させる場合を示したが、画像８１の移動方向はこれに限らず、図６、図７にて示した処理と同様、重なり画像８０に含まれる画像８１の側辺に沿って、画像８１を移動させてもよい。
【００４５】
ここで、重なり画像８０に含まれる画像８１の側辺に沿って画像８１を移動させる場合は、重なり画像８０に含まれる一部の画像８１を、例えば、右方向へ移動させ、他の一部の画像８１を、左方向へ移動させる。
また、その他に、重なり画像８０に含まれる画像８１の側辺に沿って画像８１を移動させる場合は、重なり画像８０に含まれる一部の画像８１を、例えば、上方向へ移動させ、他の一部の画像８１を、下方向へ移動させる。
【００４６】
また、重なり画像８０に含まれる画像８１の移動にあたっては、この重なり画像８０の隣に位置する複数の間隙のうちのより広い間隙に向けて、画像８１を移動させるようにしてもよい。
表示部１０６には、図９（表示部１０６における表示例を示した図）に示すように、一つの重なり画像８０の他に、他の画像８９が複数表示されることも多い。
より具体的には、例えば、重なり画像８０の上方や下方、また、重なり画像８０の左側や右側などに、重なり画像８０との間に間隙９Ｇを有して配置された他の画像８９が表示されることがある。
【００４７】
この場合、重なり画像８０に含まれる画像８１の移動にあたっては、重なり画像８０と他の画像８９の各々との間に位置する間隙９Ｇのうちの、最も小さい間隙９Ｇ以外の間隙９Ｇに向けて、画像８１を移動させることが好ましくなる。
【００４８】
図９に示す例では、符号９Ａで示す間隙９Ｇが最も小さい間隙９Ｇとなっており、この場合、この最も小さい間隙９Ｇ以外の間隙９Ｇに向けて、画像８１を移動させることが好ましい。
より好ましくは、複数ある間隙９Ｇのうちの最も大きい間隙９Ｇに向けて画像８１を移動させることである。
【００４９】
この例では、符号９Ｂで示す間隙９Ｇが最も大きい間隙９Ｇとなっており、この最も大きい間隙９Ｇに向けて画像８１を移動させることが好ましい。
小さい間隙９Ｇに向けて画像８１を移動させる場合は、画像８１の移動量を確保しにくい。これに対し、大きい間隙９Ｇに向けて画像８１を移動させ場合は、画像８１の移動量を確保しやすい。
【００５０】
図１０は、図６〜９にて説明した処理の流れを示したフローチャートである。
本実施形態では、まず、視線検知部６１が、操作者の視線の先が、重なり画像８０の上記特定箇所にあるかを判断する（ステップ１０１）。
そして、操作者の視線の先が、特定箇所にあると判断された場合、動作検知部６２が、この特定箇所への指２００の接近があるかを判断する（ステップ１０２）。
そして、特定箇所への指２００の接近があった場合、表示制御部６３が、重なり画像８０に含まれる画像８１の配置状態を変更して、画像８１間のずれを大きくする（ステップ１０３）。
【００５１】
なお、本実施形態では、操作者の視線の先が、重なり画像８０の特定箇所にあり、操作者の指２００が、重なり画像８０の特定箇所に近づいた場合に、画像８１の配置状態を変更した。
ところで、配置状態の変更は、操作者の視線の先が、重なり画像８０の何れかにあり、また、操作者の指２００が、重なり画像８０の何れかの部分に近づいた場合に行ってもよい。言い換えると、特定箇所に限らず、重なり画像８０の何れかの部分に視線が向き且つ重なり画像８０の何れかの部分に指２００が近づいた場合に、配置状態を変更するようにしてもよい。
また、この配置状態の変更は、操作者の指２００が重なり画像８０に達した後に行ってもよい（操作者の指２００が、重なり画像８０に達し且つ操作受け付け部１０７に触れた後に行ってもよい）。
【００５２】
図１１、図１２は、表示部１０６における他の表示処理を示した図である。
この処理例では、図１１（Ａ）に示すように、表示部１０６に、複数の画像８１が並べられて表示されている。言い換えると、複数の画像８１が格子状に配置されている。付言すると、複数の画像８１が、行方向および列方向のそれぞれに沿って並んで配置されている。
【００５３】
そして、この処理では、図１１（Ａ）の符号１１Ａに示すように、操作者の指２００により、この複数の画像８１の中から一部の画像８１が選択され、受け付け部６４（図３参照）が、表示部１０６の画像８１に対する操作者のこの選択を受け付ける。
より具体的には、受け付け部６４は、表示部１０６に表示されている画像８１の各々の位置情報、および、操作受け付け部１０７からの出力（操作者が操作した操作位置についての出力）を得て、操作者が選択した画像８１（以下、「選択画像８６」と称する）を受け付ける。言い換えると、受け付け部６４は、操作者の選択内容を受け付ける。
【００５４】
次に、本実施形態では、位置特定部６５が、画像８１の選択を行った上記操作者の視線が向く先の位置であって、表示部１０６上における位置を特定する。
具体的には、位置特定部６５は、視線検知装置１１３（図１参照）からの出力に基づき、操作者の視線が向く先の位置であって、表示部１０６上における位置を特定する。
【００５５】
この例では、図１１（Ｂ）の符号１１Ｂで示す部分が、位置特定部６５により特定された位置（以下、「特定位置７８」と称する）となる。言い換えると、符号１１Ｂで示す部分が、操作者の視線の先に位置する部分となっている。
ここで、この図１１（Ｂ）にて示す例では、特定位置７８は、互いに隣接する２つの画像８１間となっている。
【００５６】
その後、この表示例では、図１２（Ｃ）に示すように、操作者が、選択画像８６を選択した状態にある指２００を、特定位置７８に向かうように動かす。
その後、図１２（Ｃ）の矢印１２Ａで示すように、表示制御部６３が、特定位置７８を挟んで互いに隣接する２つの画像８１間の間隙を拡げる。
言い換えると、表示制御部６３は、特定位置７８の隣に位置する画像８１を、特定位置７８から離れる方向へ移動させて、互いに隣接する２つの画像８１間の間隙を拡げる。
【００５７】
なお、この表示例では、操作者が、選択画像８６を選択した状態にある指２００を特定位置７８に向かうように動かした場合に、２つの画像８１間の間隙を拡げる場合を説明したが、指２００を特定位置７８に向かうように動かさない場合であっても、２つの画像８１間の間隙を拡げるようにしてもよい。
具体的には、例えば、操作者の視線の先の位置（特定位置７８）が、２つの画像８１間の間隙にあれば、指２００が動かされていない場合であっても、２つの画像８１間の間隙を拡げてもよい。
【００５８】
本実施形態では、表示制御部６３は、表示部１０６上の複数の画像８１のうち、位置特定部６５により特定された特定位置７８と予め定められた位置関係を有する画像８１（特定位置７８の隣に位置する画像８１）を移動させて、互いに隣接する２つの画像８１間の間隙を拡げる。
より具体的には、表示制御部６３は、特定位置７８を挟んで互いに隣接する上記２つの画像８１の両者を特定位置７８から離れる方向へ移動させて、間隙を拡げる。なお、この処理例では、このように、２つの画像８１の両者を移動させたが、一方のみを移動させてもよい。
【００５９】
また、本実施形態では、特定位置７８の隣に位置する画像８１（以下「隣接画像８８」と称する）のみを特定位置７８から離れる方向へ移動させるのではなく、この離れる方向において、隣接画像８８よりも下流側に位置する画像８１も、この離れる方向へ移動させる。
具体的には、本実施形態では、図１２（Ｃ）にて符号１２Ｂで示す画像８１が隣接画像８８となり、この隣接画像８８が、特定位置７８から離れる方向である矢印１２Ｘで示す方向へ移動する。
【００６０】
本実施形態では、この際、この離れる方向において、隣接画像８８よりも下流側に位置する画像８１（符号１２Ｙで示す画像８１）（隣接画像８１よりも下流側に位置する全ての画像８１）も、この離れる方向へ移動する。
これにより、隣接画像８８よりも下流側に位置する画像８１が移動しない場合に比べ、隣接画像８８の移動量を確保しやすくなる。
【００６１】
その後、本実施形態では、操作者による操作（操作者による選択画像８６の移動）が更に行われて、図１２（Ｄ）に示すように、拡げられた間隙が位置していた箇所に、選択画像８６が配置される。なお、この例では、１行に４個分の画像８１しか表示できないため、上記２つの画像８１のうちの右側に位置していた一方の画像８１（図１２（Ｃ）にて符号１２Ｓで示す画像８１）は、次の行（下の行）に移動する。
本実施形態では、操作者が選択画像８６を移動させる際、この選択画像８６の移動先となる空間（間隙）が拡がり、選択画像８６を移動しやすくなり、選択画像８６を移動させる際の操作誤りが起きにくくなる。
【００６２】
図１３（Ａ）、（Ｂ）は、表示部１０６における他の表示処理を示した図である。
この処理例では、図１３（Ａ）の符号１３Ａで示すように、位置特定部６５により特定された特定位置７８が、表示部１０６に表示されている画像８１と、表示部１０６の周縁１０６Ｂとの間となっている。
言い換えると、この処理例では、操作者は、表示部１０６の周縁１０６Ｂと表示部１０６に表示されている画像８１との間に、選択画像８６を移動させたいと考えている。
【００６３】
この場合も、図１３（Ｂ）の矢印１３Ｂで示すように、この特定位置７８から離れる方向へ、この特定位置７８の隣に位置する隣接画像８８を移動させる。これにより、上記と同様、移動するこの隣接画像８８と周縁１０６Ｂとの間の間隙が拡がるようなり、この間隙へ選択画像８６の移動を行いやすくなる。
なお、この処理例でも、上記と同様、隣接画像８８の下流側に位置する画像８１（符号１３Ｃで示す画像）も、特定位置７８から離れる方向へ移動する。
【００６４】
図１４は、図１１〜図１３にて示した処理の流れを示したフローチャートである。
図１４にて示すこの処理では、まず、受け付け部６４が、操作者による画像８１の選択があったかを判断する（ステップ２０１）。そして、操作者による画像８１の選択があった場合、位置特定部６５が、この操作者の視線が向く先の位置であって、表示部１０６上における位置である特定位置７８を把握する。
【００６５】
次いで、位置特定部６５が、この特定位置７８が、２つの画像８１間にあるか、あるいは、画像８１と周縁１０６Ｂとの間にあるかを判断する（ステップ２０２）。
そして、特定位置７８が、２つの画像８１間にあり、または、画像８１と周縁１０６Ｂとの間にある場合、表示制御部６３が、この特定位置７８の隣に位置する隣接画像８８を移動させて、選択画像８６の移動先となる間隙を拡げる（ステップ２０３）。
【符号の説明】
【００６６】
９Ｇ…間隙、１０…画像形成装置、６１…視線検知部、６２…動作検知部、６３…表示制御部、６４…受け付け部、６５…位置特定部、８０…重なり画像、８１…画像、８１Ａ…縁部、８１Ｅ…短辺、８１Ｆ…長辺、８９…他の画像、１０６…表示部、１０６Ｂ…周縁、１０６Ｃ…ポインター、１０９…画像形成部、２００…指
【図１】
2019046320.tif 000003
【図２】
2019046320.tif 000004
【図３】
2019046320.tif 000005
【図４】
2019046320.tif 000006
【図５】
2019046320.tif 000007
【図６】
2019046320.tif 000008
【図７】
2019046320.tif 000009
【図８】
2019046320.tif 000010
【図９】
2019046320.tif 000011
【図１０】
2019046320.tif 000012
【図１１】
2019046320.tif 000013
【図１２】
2019046320.tif 000014
【図１３】
2019046320.tif 000015
【図１４】
2019046320.tif 000016